(57)【要約】【課題】水切り棚本体の高さ調節が可能で、しかも脚の設置を簡単に行うようにする。【解決手段】第一の水切り棚本体１、第二の水切り棚本体２の左右両側に脚３を設け、立設した脚３は縦型突っ張り棒からなる。第一の水切り棚本体１、第二の水切り棚本体２にそれぞれ連結部材10に掛け止め可能な第一のフック部21、第二のフック部35を設ける。シンクＢの頂き面Ｃ上に脚２を簡単に立設できる。第一の水切り棚本体１、第二の水切り棚本体２を簡単に取り付け、取り外しすることができる。【選択図】図１
2011098164.tif 000002
【特許請求の範囲】
【請求項１】
水切り棚本体の左右両側に脚を設け、当該脚を立設してなる水切り棚において、前記脚は縦型突っ張り棒であって、これら左右両側の脚間に横向きの連結部材を上下方向に多段に設け、前記連結部材の前方に前記水切り棚本体を設けると共に、該水切り棚本体に前記連結部材に掛け止め可能なフック部を設けたことを特徴とする水切り棚。
【請求項２】
前記水切り棚本体に、少なくとも左右いずれかの方向に摺動可能に突設する突起を設けたことを特徴とする請求項１記載の水切り棚。
【発明の詳細な説明】
【技術分野】
【０００１】
本発明は、水切り棚本体の左右両側に脚を設け、当該脚を立設してなる水切り棚に関するものである。
【背景技術】
【０００２】
従来、この種のものとして、水切り棚本体の左右両側に脚に固定し、当該脚の下端部をシンクの左右の頂き面の夫々に立設してなる水切り棚付き流し台が知れている（例えば特許文献１）。
【先行技術文献】
【特許文献】
【０００３】
【特許文献１】特開２００２−１７４７８号公報
【発明の概要】
【発明が解決しようとする課題】
【０００４】
前記従来技術においては、水切り棚本体は脚に固定されていたので、水切り棚本体の高さ調節ができず、使い勝に劣っていた。また、従来技術では、脚の下端部をシンクの左右頂き面に固定するものであり、シンクまわりに受け用ホルダ等を取り付ける必要があり、簡単に取り付けできなかった。
【０００５】
解決しようとする問題点は、水切り棚本体の左右両側に脚を設け、当該脚を立設してなる水切り棚において、水切り棚本体を脚側より取り外し水洗を容易にすると共に水切り棚本体の高さ調節をして再び取り付けが可能で、しかも脚の設置を簡単に行うようにする点である。
【課題を解決するための手段】
【０００６】
請求項１の発明は、水切り棚本体の左右両側に脚を設け、当該脚を立設してなる水切り棚において、前記脚は縦型突っ張り棒であって、これら左右両側の脚間に横向きの連結部材を上下方向に多段に設け、前記連結部材の前方に前記水切り棚本体を設けると共に、該水切り棚本体に前記連結部材に掛け止め可能なフック部を設けたことを特徴とする水切り棚である。
【０００７】
請求項２の発明は、前記水切り棚本体に、少なくとも左右いずれかの方向に摺動可能に突設する突起を設けたことを特徴とする請求項１記載の水切り棚である。
【発明の効果】
【０００８】
請求項１の発明によれば、突っ張り棒によって脚を簡単に立設でき、移動水切り棚本体もフック部によって脚や連結部材を分解するようなことなく、使用状況に対応して取り付け位置を変更するため簡単に連結部材に着脱できる。
【０００９】
請求項２の発明によれば、突起によって水切り棚本体の幅を広げることができ、例えばシンクの大きさ合わせて設置できる。
【図面の簡単な説明】
【００１０】
【図１】本発明の実施例１を示す分解斜視図である。
【図２】同要部の断面図である。
【図３】同第一の使用状態の斜視図である。
【図４】同第一の使用状態の正面図である。
【図５】同第二の使用状態の斜視図である。
【図６】同第三の使用状態の斜視図である。
【図７】同第四の使用状態の斜視図である。
【図８】同第五の使用状態の斜視図である。
【発明を実施するための形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１２】
図は実施例１を示しており、図１、２に示すように、水切り棚は、上段にある第一の水切り棚本体１と、この下方に配置されている下段にある第二の水切り棚本体２と、これらを支持するためのこれらの左右に立設される脚３から構成される。
【００１３】
前記左右一対の脚３は、上下端を上下方向に付勢された縦型突っ張り棒によって形成されている。実施例では、同軸状に設けられ摺動可能に設けられると共に両者間の固定具を備えた外パイプ４と内パイプ５からなる脚本体６の下端にバネ等の弾性部材７を介して下端当接部材８が設けられると共に、上端に上端当接部材９を設けたものである。そして、左右一対の脚３間には水平な金属線材からなる連結部材10が横向きに設けられており、この連結部材10は、上下方向に互いに平行状態となって間隔を有して複数段、実施例では９段とに設けられている。尚、この左右一対の脚３と連結部材10は、予め一体に固定されて組み立てられている。
【００１４】
前記第一の水切り棚本体１は、連結部材10の前方に該連結部材10と着脱自在に設けられるものであって、平面が略矩形な第一の底面部11の後部に正面が略矩形の第一の後面部12を立設すると共に左右に側面が略矩形な第一の左右側面部13が一体に設けられて、前方、上方が開口している。これらは金属製線材を格子状に組んで第一の水切り孔14を形成している。
【００１５】
さらに、第一の底面部11の下側に、左右一対の第一のホルダー15を介して平らな皿状の第一の受水パン16を前方から出し入れ可能に設ける。第一のホルダー15は第一の左右側面部13の下部に、該下部に第一の基端17を固定して正面略Ｌ字形状の第一の下向き部18が前後一対設けられ、第一の下向き部18の第一の先端19は左右方向の内側に向かうと共に、これら前後一対の第一の先端19間に第一の前後部20が接続して形成されている。このような第一のホルダー15は金属製線材を折り曲げて形成されている。
【００１６】
そして、第一の水切り棚本体１の後面部の上端の左右両側に、連結部材10のいずれかに係止可能な第一のフック部21を設ける。この第一のフック部21は下方を第一の開口部22とするように逆Ｌ字型金属線材を後方に向けて設けたもので、いずれかの連結部材10の上方から掛け止めするものであって、その上端を第一の左右側面部13の上辺部の後端に接続して、第一のフック部21の全体としては側面が逆Ｕ字形状、倒コ字形状に形成されている。
【００１７】
前記第二の水切り棚本体２も、第一の水切り棚本体１と同様に連結部材10の前方に該連結部材10と着脱自在に設けられるものであって、第二の底面部23の後部に第二の後面部24を立設すると共に第二の左右側面部25が一体に設けられて、第二の水切り孔26が形成されている。
【００１８】
さらに、第二の底面部23の下側に、左右一対の第二のホルダー27を介して平らな皿状の第二の受水パン28を前方から出し入れ可能に設ける。第二のホルダー27は、シンクＢの係止用突起を兼用する突起であって、第二の左右側面部25の下部に、該下部に第二の基端29を接続して正面略Ｌ字形状の第二の下向き部30が前後一対設けられ、第二の下向き部30の第二の先端31は左右方向の内側に向かうと共に、これら前後一対の第二の先端31間に第二の前後部32が接続しており、さらに、第二の基端29が左右方向に移動できるように、第二の基端29にはそれぞれ左右方向の内側に向かう内向き部33が接続されると共に、この内向き部33は第二の底面部23の下側の左右両側に固定され左右方向に向かうレール状で内向き部33を支持可能な案内路34にスライド自在に設けられている。このような第二のホルダー27も金属製線材を折り曲げて形成されており、案内路34は左右方向に長手方向が向かう貫通孔によって形成されており、この貫通孔に内向き部33が挿入している。
【００１９】
そして、第二の水切り棚本体２の第二の後面部24の上端の左右両側にも、連結部材10のいずれかに係止可能な第二のフック部35を設ける。この第二のフック部35は下方を第二の開口部36とするように逆Ｌ字型金属線材を後方に向けて設けたもので、いずれかの連結部材10の上方から掛け止めするものであって、その上端を第二の左右側面部2の上辺部の後端に接続して、第二のフック部35の全体としては側面が逆Ｕ字形状、倒コ字形状に形成されている。
【００２０】
尚、図中37は箸やスプーン（図示せず）を立てて収納する水切り容器であって、その後部に第三のフック部38が設けられており、さらに39は、お玉やフライ返しＡを吊り下げるＳ環などと称する吊り下げ具であって、第三のフック部38、や吊り下げ具39は、連結部材10、第一の水切り棚本体１や第二の水切り棚本体２を形成する線材に上方から掛け止めできるようになっている。さらに40は布巾掛けハンガーである。
【００２１】
次に前記構成についてその作用を説明する。図３，４に示すように、まず、シンクＢの頂き面Ｃと、この頂き面Ｃの上方にある棚などの棚底面Ｄとの間に、左右一対の脚３を配置する。この配置にあっては、脚本体６を上下方向に向けた状態で、棚底面Ｄに上端当接部材９を当接すると共にシンクＢの頂き面Ｃに下端当接部材８を当接する。この際、外パイプ４より内パイプ５を引き出して突っ張り状態となるように両者を固定具により固定する。このような取り付け状態では弾性部材７によって、上端当接部材９は、下端、下端上方へ、下端当接部材８は下方へ押圧されることで、脚３は突っ張り状態となって固定している。さらに、この脚３と一体に設けられた連結部材10も棚底面Ｄと頂き面Ｃとの間に固定位置に配置されている。
【００２２】
次に、上方側にある連結部材10に第一の開口部22を下向きにした状態の第一のフック部21を上方から掛け止めする。この際には第一の後面部12が掛け止めした連結部材10のある下側にある連結部材10に係止することで、第一の底面部11が前方へ向くように固定される。同様に下方側にある連結部材10に第二の開口部36を下向きにした状態の第二のフック部35を上方から掛け止めする。この際には第二の後面部24が掛け止めした連結部材10のある下側にある連結部材10に係止することで、第二の底面部23が前方へ向くように固定される。このように第一の水切り棚本体１、第二の水切り棚本体２を取り付けた状態で、そこに水洗したフライパンや食器類（図示せず）などを載置して水切りするものである、
そして、例えば第一の水切り棚本体１、第二の水切り棚本体２の取り付けた高さを変更するときは、いったん第一のフック部21、第二のフック部35をそれぞれやや持ち上げて掛け状態を解除し、再び第一のフック部21、第二のフック部35を他の連結部材10の上方から下ろして掛け止めすればよい。
【００２３】
また、図５に示すように連結部材10より取り外した第二の水切り棚本体２をシンクＢの頂き面Ｃに、第二のフック部35を接地させて使用してもよい。また、図６の場合は、連結部材10より取り外した第一の水切り棚本体１をシンクＢの頂き面Ｃに、第一のフック部21を接地させて使用すると共に、第二の水切り棚本体２の第二のフック部35にまな板Ｅを保持した場合を示している。さらに、図７に示すように第一の水切り棚本体１を連結部材10より取り外した状態で、その箇所に吊り下げ具39を設けた場合を示している。
【００２４】
さらに、図８に示すように、第二の水切り棚本体２をシンクＢに取り付けて食器類などを水切りするときには、第二のフック部35を連結部材10より取り外し、そして第二の水切り棚本体２をシンクＢに掛け渡す。この際、シンクＢの長さよりも左右一対の第二のホルダー27間の長さが短く掛け渡しできないときには、内向き部33を案内路34にスライドさせて左右方向の外側に引き出して第二のホルダー27を側面部の外側に配置することで、左右一対の第二のホルダー27間の長さを大きくして第二の水切り棚本体２をシンクＢに掛け渡すことができる。
【００２５】
以上のように、前記実施例では第一の水切り棚本体１、第二の水切り棚本体２の左右両側に脚３を設け、立設した脚３は縦型突っ張り棒であって、これら左右両側の脚３間に横向きの連結部材10を上下方向に多段に設け、連結部材10の前方に第一の水切り棚本体１、第二の水切り棚本体２をそれぞれ設けると共に、第一の水切り棚本体１、第二の水切り棚本体２にそれぞれ連結部材10に掛け止め可能な第一のフック部21、第二のフック部35を設けたことにより、縦型突っ張り棒によって、シンクＢの頂き面Ｃ上に脚２を簡単に立設でき、そして第一の水切り棚本体１、第二の水切り棚本体２はそれぞれ、連結部材10の前方にあって、第一のフック部21、第二のフック部35をそれぞれいずれかの連結部材10に掛け止めするだけで、簡単に、第一の水切り棚本体１、第二の水切り棚本体２を取り外して水洗したり、あるいはシンクＢの頂き面Ｃに載置したり、或いは再度連結部材10に掛け止めすることができる。
【００２６】
この結果、第一の水切り棚本体１、第二の水切り棚本体２を連結部材10より取り出していつでも水洗して、再び取り付けることなどができる。
【００２７】
さらに、第二の水切り棚本体２に、左右の両方向に出し入れ摺動可能に突設する突起である第二のホルダー27を設けたことにより、第二の水切り棚本体２をシンクＢに掛け渡すことができ、第二の水切り棚本体２を連結部材10に掛けて使用したり、シンクＢの頂き面Ｃに置いたりする他に、第二のホルダー27を外側に移動することで、シンクＢの大きさに合わせて左右一対の第二のホルダー27間を大きくして、シンクＢに掛け渡して使用するようなこともできる。さらに、第二の水切り棚本体２を連結部材10に掛け止めした状態で、第二のホルダー27を外側に移動することで、第二の受水パン28よりも横幅の大きいような受水パンやまな板（図示せず）を第二のホルダー27間に保持することができる。
【産業上の利用可能性】
【００２８】
以上のように本発明に係る水切り棚は、各種の用途に適用できる。
【符号の説明】
【００２９】
１  第一の水切り棚本体
２  第二の水切り棚本体
３  脚
10  連結部材
21  第一のフック部
27  第二のホルダー（突起）
35  第二のフック部
【図１】
2011098164.tif 000003
【図２】
2011098164.tif 000004
【図３】
2011098164.tif 000005
【図４】
2011098164.tif 000006
【図５】
2011098164.tif 000007
【図６】
2011098164.tif 000008
【図７】
2011098164.tif 000009
【図８】
2011098164.tif 000010